(57)【要約】【課題】ウォブル信号に含まれた所定のMSK変調成分の検出に優れた信号検出方法を提供すること。【解決手段】信号検出方法は、光ディスクのウォブルトラックから検出されたウォブル信号を入力し、前記ウォブル信号及び基準コサイン波からコサイン相関検波信号を生成し、前記コサイン相関検波信号の信号レベル変化に基づき、第１の無変調領域に対応した第１の無変調成分を検出し、前記第１の無変調成分に対応したウォブル数をカウントし、カウント結果に応じて第１の期間にわたりゲート信号を生成し、前記ゲート信号生成の前記第１の期間における前記コサイン相関検波信号の信号レベル変化に基づき、前記第１の期間より短い第２の期間に対応した所定ウォブル数で構成された第１のMSK（Minimum Shift Keying）変調領域に対応した第１のMSK変調成分を検出する。【選択図】図１１
2011175707.tif 000002
【特許請求の範囲】
【請求項１】
光ディスクのウォブルトラックから検出されたウォブル信号を入力し、
前記ウォブル信号及び基準コサイン波からコサイン相関検波信号を生成し、
前記コサイン相関検波信号の信号レベル変化に基づき、第１の無変調領域に対応した第１の無変調成分を検出し、
前記第１の無変調成分に対応したウォブル数をカウントし、
カウント結果に応じて第１の期間にわたりゲート信号を生成し、
前記ゲート信号生成の前記第１の期間における前記コサイン相関検波信号の信号レベル変化に基づき、前記第１の期間より短い第２の期間に対応した所定ウォブル数で構成された第１のMSK（Minimum Shift Keying）変調領域に対応した第１のMSK変調成分を検出する、
ことを特徴とする信号検出方法。
【請求項２】
第１のウォブル数をカウントしてから第２のウォブル数をカウントするまでの前記第１の期間にわたりゲート信号を生成することを特徴とする請求項１に記載の信号検出方法。
【請求項３】
前記第１の無変調成分の検出状態から未検出状態へ遷移した場合、前記第１の無変調成分に対応したウォブル数のカウント結果をリセットすることを特徴とする請求項１に記載の信号検出方法。
【請求項４】
前記ウォブル信号は、物理アドレスに対応し、
前記物理アドレスは、前記第１のウォブル数より大きい第３のウォブル数で構成された第１のパターン及び第２のパターンを含み、
前記第１のパターンは、前記第１のウォブル数より大きく前記第３のウォブル数より小さい第４のウォブル数で構成された前記第１の無変調領域を含み、
前記第２のパターンは、前記第１のMSK変調領域を含み、
前記ゲート信号生成の前記第１の期間における前記コサイン相関検波信号の信号レベル変化に基づき、前記第１のパターンの後続の前記第２のパターンに含まれた前記第１のMSK変調領域に対応した前記第１のMSK変調成分を検出する、
ことを特徴とする請求項２に記載の信号検出方法。
【請求項５】
前記第１のパターンは、前記所定ウォブル数で構成された第２のMSK変調領域を含み、
前記ゲート信号生成の前記第１の期間における前記コサイン相関検波信号の信号レベル変化に基づき、前記第２のMSK変調領域と異なる位置に配置された前記第１のMSK変調領域に対応した前記第１のMSK変調成分を検出する、
ことを特徴とする請求項４に記載の信号検出方法。
【請求項６】
前記第２のパターンは、先頭位置に前記第１のMSK変調領域を含み、先頭位置と異なる位置に前記所定ウォブル数で構成された第３のMSK変調領域を含み、
前記ゲート信号生成の前記第１の期間における前記コサイン相関検波信号の信号レベル変化に基づき、前記第２のMSK変調領域及び前記第３のMSK変調領域と異なる位置に配置された前記第１のMSK変調領域に対応した前記第１のMSK変調成分を検出する、
ことを特徴とする請求項５に記載の信号検出方法。
【請求項７】
前記第２のパターンは、前記第１のMSK変調領域及び前記第１のウォブル数より短い第５のウォブル数で構成された第２の無変調領域を含み、
前記第２の無変調領域に対応したウォブル数をカウントしても前記第１のウォブル数に達しないことから、前記第２の無変調領域のカウント結果に応じて前記ゲート信号を生成しないことを特徴とする請求項４に記載の信号検出方法。
【請求項８】
前記コサイン相関検波信号の信号レベル変化に基づき、前記第１のMSK変調領域に対応した前記第１のMSK変調成分、前記第１の無変調領域に対応した前記第１の無変調成分、及びSTW（Saw Tooth Wobble）変調領域に対応したSTW変調成分を検出し、
前記第１の無変調成分に対応したウォブル数をカウントする、
ことを特徴とする請求項１に記載の信号検出方法。
【請求項９】
前記STW変調領域の検出に応じてカウント値をホールド又はリセットすることを特徴とする請求項８に記載の信号検出方法。
【請求項１０】
光ディスクのウォブルトラックから検出されたウォブル信号を入力する入力手段と、
前記ウォブル信号及び基準コサイン波からコサイン相関検波信号を生成する第１の生成手段と、
前記コサイン相関検波信号の信号レベル変化に基づき、第１の無変調領域に対応した第１の無変調成分を検出する第１の検出手段と、
前記第１の無変調成分に対応したウォブル数をカウントするカウント手段と、
カウント結果に応じて第１の期間にわたりゲート信号を生成する第２の生成手段と、
前記ゲート信号生成の前記第１の期間における前記コサイン相関検波信号の信号レベル変化に基づき、前記第１の期間より短い第２の期間に対応した所定ウォブル数で構成された第１のMSK（Minimum Shift Keying）変調領域に対応した第１のMSK変調成分を検出する第２の検出手段と、
を備えたことを特徴とする信号検出装置。
【発明の詳細な説明】
【技術分野】
【０００１】
本発明は、例えば、光ディスクに形成されたウォブルトラックから検出されたウォブル信号に反映された所定の信号成分を検出する信号検出技術に関する。
【背景技術】
【０００２】
物理アドレスに対応してウォブルされたトラックが形成された光ディスクが知られている。この種の光ディスクを再生する光ディスク装置は、光ディスクのウォブルトラックからウォブル信号を検出し、ウォブル信号から物理アドレスを検出し、物理アドレスに基づき光ディスクのトラックに記録されたデータを再生する。光ディスクに記録されたデータを正確に再生するためには、物理アドレスの正確な検出は重要であり、物理アドレス等を正確に検出する技術が開示されている（特許文献１参照）。
【先行技術文献】
【特許文献】
【０００３】
【特許文献１】特開２００６−１８８９２号公報
【発明の概要】
【発明が解決しようとする課題】
【０００４】
上記したように、物理アドレスの正確な検出は重要であり、より正確に物理アドレスを検出する技術が要望されている。ウォブル信号に含まれた所定の信号成分を正確に検出することにより、物理アドレスを正確に検出することができる。
【０００５】
本発明の目的は、ウォブル信号に含まれた所定のMSK変調成分の検出に優れた信号検出方法及び信号検出装置を提供することにある。
【課題を解決するための手段】
【０００６】
本発明の一実施形態に係る信号検出方法は、光ディスクのウォブルトラックから検出されたウォブル信号を入力し、前記ウォブル信号及び基準コサイン波からコサイン相関検波信号を生成し、前記コサイン相関検波信号の信号レベル変化に基づき、第１の無変調領域に対応した第１の無変調成分を検出し、前記第１の無変調成分に対応したウォブル数をカウントし、カウント結果に応じて第１の期間にわたりゲート信号を生成し、前記ゲート信号生成の前記第１の期間における前記コサイン相関検波信号の信号レベル変化に基づき、前記第１の期間より短い第２の期間に対応した所定ウォブル数で構成された第１のMSK（Minimum Shift Keying）変調領域に対応した第１のMSK変調成分を検出する。
【０００７】
本発明の一実施形態に係る信号検出装置は、光ディスクのウォブルトラックから検出されたウォブル信号を入力する入力手段と、前記ウォブル信号及び基準コサイン波からコサイン相関検波信号を生成する第１の生成手段と、前記コサイン相関検波信号の信号レベル変化に基づき、第１の無変調領域に対応した第１の無変調成分を検出する第１の検出手段と、前記第１の無変調成分に対応したウォブル数をカウントするカウント手段と、カウント結果に応じて第１の期間にわたりゲート信号を生成する第２の生成手段と、前記ゲート信号生成の前記第１の期間における前記コサイン相関検波信号の信号レベル変化に基づき、前記第１の期間より短い第２の期間に対応した所定ウォブル数で構成された第１のMSK（Minimum Shift Keying）変調領域に対応した第１のMSK変調成分を検出する第２の検出手段と、を備える。
【発明の効果】
【０００８】
本発明によれば、ウォブル信号に含まれた所定のMSK変調成分の検出に優れた信号検出方法及び信号検出装置を提供できる。
【図面の簡単な説明】
【０００９】
【図１】第１実施形態に係る信号検出装置の概略構成の一例を示すブロック図である。
【図２Ａ】各ADIPユニットの構成の一例を示す図である。
【図２Ｂ】８３個のADIPユニットにより構成されるADIPワードの構成の一例を示す図である。
【図３】第１実施形態に係る信号検出装置を構成する位相検出部、オフセット補償部、及びSTW検出部の一例を示すブロック図である。
【図４】コサイン相関検波値および２倍サイン相関検波値の算出の一例を説明するための図である。
【図５】隣接トラックによる位相干渉の影響を受けたウォブル信号、及び物理アドレス誤検出の一例を説明するための図である。
【図６】閾値の生成及びこの閾値によるMSK変調成分の検出の一例を説明するための図である。
【図７】閾値及び２倍サイン相関検波値によるSTW0及びSTW1の検出の一例を説明するための図である。
【図８】第２実施形態に係る信号検出装置の概略構成の一例を示すブロック図である。
【図９】第２実施形態に係る信号検出装置を構成する位相検出部、オフセット補償部、及びMSK検出部の一例を示すブロック図である。
【図１０】コサイン相関検波値の算出の一例を説明するための図である。
【図１１】MSK信号検出用の保護ゲートを使用し、SYNCパターンの先頭位置のMSK変調成分を検出する処理の一例を説明するための図である。
【図１２】STW領域（STW0領域又はSTW1領域）のウォブル信号をカウントせず、SYNCパターンの先頭MSK変調を検出処理しない一例を説明するための図である。
【発明を実施するための形態】
【００１０】
以下、図面を参照し、本発明の実施形態について説明する。
【００１１】
図２Ａ及び図２Ｂは、Blu-ray Disc-R/-REなどの光ディスクの物理フォーマットの一例を示す図である。光ディスクは、物理アドレスデータに対応してウォブルされたトラックを備えている。この種の光ディスクを再生したり、この種の光ディスクにデータを記録したりする光ディスク装置は、ウォブルトラックからウォブル信号成分を検出し、ウォブル信号成分を復調し、物理アドレスデータを取得することができる。つまり、光ディスク装置は、ウォブルトラックから物理アドレスデータを取得し、物理アドレスデータに基づき、指定位置のトラックのデータを再生したり、指定位置のトラックに対してデータを記録したりすることができる。
【００１２】
Blu-ray Discのトラックのウォブルには、MSK（Minimum Shift Keying）変調とSTW（Saw Tooth Wobble）変調を組み合わせたアドレッシングが反映されている。MSK変調とは、位相が連続したFSK（Frequency Shift Keying）変調のうちの変調指数が0.5のもので、ウォブル基本波に対して局所的に位相変化させた波形を生成する変調方式である。STW変調とは、ウォブル基本波に対して２倍の高調波を加算または減算し、ノコギリ波形状のような波形を生成する変調方式である。
【００１３】
１つの物理アドレスデータは、１つのADIP（Address In Pregroove）ワードに対応する。図２Ｂは、ADIPワードの一例を示す図である。１つのADIPワードは、連続した８３個のADIPユニットを含み、24ビットのアドレス情報と、12ビットの補助データ、リファレンス領域、誤り訂正符号などから構成されている。１つのADIPユニットは、56ウォブルで構成される。図２Ａは、各種ADIPユニットの一例を示す図である。例えば、図２Ａに示すData_0は、56ウォブルで“0”を表している。同様に、図２Ａに示すData_1は、56ウォブルで“1”を表している。
【００１４】
図１は、第１実施形態に係る信号検出装置の概略構成の一例を示すブロック図である。
【００１５】
図１に示すように、信号検出装置は、ウォブルPLL回路１、MSK検出／STW検出／物理アドレス検出回路２、及びカウンタ回路３を備えている。
【００１６】
ウォブルPLL回路１は、A／Dコンバータ１１、位相検出部１２、位相制御部１３、D／Aコンバータ１４、VCO１５を備えている。A／Dコンバータ１１は、光ディスクから検出されたウォブル信号をデジタル信号へ変換し、デジタル信号へ変換されたウォブル信号を入力する。位相検出部１２は、現在の入力ウォブル信号と前の入力ウォブル信号との位相を比較する。位相制御部１３は、位相比較結果に基づき、位相が±90°以上異なる場合には前値をHoldする。また、位相制御部１３は、ループ補償も行なう。
【００１７】
また、上記した位相検出部１２は、入力ウォブル信号と基準コサイン波／基準サイン波／基準2倍サイン波との１ウォブル単位の積分演算を行ない、それぞれコサイン相関検波信号、サイン相関検波信号、２倍サイン相関検波信号を生成する。サイン相関検波信号は、位相誤差信号としてPLL処理に使用され、入力ウォブル信号に対して位相追従した単一クロックが生成される。コサイン相関検波信号は、主にMSKパターンの検出、及び物理アドレスの検出に使用される。
【００１８】
MSK検出／STW検出／物理アドレス検出回路２は、オフセット補償部２１、STW検出部２２、MSK検出部２３、物理アドレス検出部２４を備えている。オフセット補償部２１は、隣接トラックからの位相干渉を受け変動したウォブル信号の振幅レベルを補正する。STW検出部２２は、オフセット補償部２１で補正したウォブル信号からSTW変調信号を検出する。MSK検出部２３は、オフセット補償部２１で補正したウォブル信号からMSK変調信号を検出する。物理アドレス検出部２４は、MSK変調信号又はSTW変調信号から物理アドレスを検出し、この物理アドレスのエラーを検出し、エラーを訂正する。
【００１９】
カウンタ回路３は、カウンタ管理部３１を備える。カウンタ管理部３１は、１ウォブル周期をカウントするウォブル周期カウンタ、ADIPユニット周期をカウントするADIPカウンタ、ADIPワード周期をカウントするADIPワードカウンタ、及び物理アドレスの信頼性確保用の物理アドレスカウンタを含み、これらカウンタによりカウントされるカウント値を管理する。なお、MSK検出／STW検出／物理アドレス検出回路２により検出されたMSK信号及び物理アドレスにより、各カウント値が補正される。この補正により、カウント値とウォブルとの同期が取られる。
【００２０】
図３は、第１実施形態の信号検出装置を構成する位相検出部１２、オフセット補償部２１、STW検出部２２の一例を示すブロック図である。位相検出部１２は、フィルター１２１、基準コサイン波生成部１２２、積分器１２３、基準２倍サイン波生成部１２４、及び積分器１２５を備えている。オフセット補償部２１は、＋値ホールド部２１１、−値ホールド部２１２、閾値生成部２１３、閾値選択部２１４、オフセット補正部２１５、２１６を備えている。STW検出部２２は、STW0/STW1検出部２２１、値ホールド部２２２を備えている。
【００２１】
位相検出部１２の積分器１２３は、フィルター１２１によりフィルタリング処理された入力ウォブル信号と基準コサイン波生成部１２２により生成された基準コサイン波との積分により、コサイン相関検波値を生成する。また、積分器１２５は、フィルター１２１によりフィルタリング処理された入力ウォブル信号と基準２倍サイン波生成部１２４により生成された基準２倍サイン波との積分により、２倍サイン相関検波値を生成する。
【００２２】
オフセット補償部２１（オフセット補正部２１５、２１６）は、閾値生成部２１３により生成され、且つ閾値選択部２１４により選択された閾値に基づき、２倍サイン相関検波値を補正する。この補正により、ウォブル信号が受けていた位相干渉の影響が低減される。例えば、所定トラックから検出されたウォブル信号は、この所定トラックに隣接する隣接トラックによる位相干渉の影響を受けることが知られている。位相干渉の影響により、ウォブル信号の振幅レベルが変動すると、ウォブル信号に含まれるSTW0信号およびSTW1信号を誤検出してしまうことがある。そこで、上記した補正により、ウォブル信号の振幅レベルを補正することができる。
【００２３】
STW検出部２２のSTW0/STW1検出部２２１は補正２倍サイン相関検波値から、STW0信号およびSTW1信号を検出する。これにより、STW0信号及びSTW1信号を精度良く検出することができる。STW0信号及びSTW1信号の検出について後で詳しく説明する。
【００２４】
図４は、コサイン相関検波値および２倍サイン相関検波値の算出の一例を説明するための図である。
【００２５】
基準コサイン波（a）とMSK信号（b）との信号相関に基づき、コサイン相関検波値（c）が得られる。コサイン相関検波値（c）は、MSK信号（b）に含まれた無変調成分に対応したノーマルウォブル信号と、MSK信号（b）に含まれたMSK変調成分に対応したMSK変調ウォブル信号とを含む。ノーマルウォブル信号は、プラス値の振幅レベルで比較的安定している。MSK変調ウォブル信号は振幅レベルが大きく減少し、MSK変調ウォブル信号の真中の振幅レベルはマイナス値となり、その振幅レベルの絶対値は、ノーマルウォブル信号の振幅レベルの絶対値とほぼ等しい。
【００２６】
基準コサイン波（a）とSTW0信号（d）又はSTW1信号（e）との信号相関に基づき、コサイン相関検波値（f）が得られる。コサイン相関検波値（f）の振幅レベルは、多少減少又は増加するのみである。つまり、基準コサイン波（a）とSTW0信号（d）との信号相関により得られるコサイン相関検波値（f）と、基準コサイン波（a）とSTW1信号（e）との信号相関により得られるコサイン相関検波値（f）は、ほぼ同じとなってしまう。そのため、コサイン相関検波値（f）から、STW0信号とSTW1信号とを区別するのは難しい。
【００２７】
そこで、第１実施形態の信号検出装置は、基準２倍サイン波（g）により、ウォブル信号からSTW0信号及びSTW1信号を検出する。つまり、基準２倍サイン波（g）とSTW0信号（h0）を含むウォブル信号との信号相関に基づき、２倍サイン相関検波値（i0）が得られる。また、基準２倍サイン波（g）とSTW1信号（h1）を含むウォブル信号との信号相関に基づき、２倍サイン相関検波値（i1）が得られる。２倍サイン相関検波値（i0）はマイナス値の振幅レベルを含み、２倍サイン相関検波値（i1）はプラス値の振幅レベルを含む。このことから、STW0信号及びSTW1信号を検出することができる。
【００２８】
図５は、隣接トラックによる位相干渉の影響を受けたウォブル信号、及び物理アドレス誤検出の一例を説明するための図である。
【００２９】
CAV方式の光ディスクの所定トラックの基準位相とこの所定トラックに隣接する隣接トラックの基準位相とは同位相となる。このため、CAV方式の光ディスクの所定トラックから検出されたウォブル信号は、隣接トラックによる位相干渉の影響を受け難い。そのため、ウォブル信号の振幅変動はほとんどなく、隣接トラックの影響のないウォブル信号（j）が得られる。隣接トラックの影響のないウォブル信号（j）の振幅レベルは、ほぼ一定となる。よって、このウォブル信号（j）からノイズ等の要因を除くと、このウォブル信号（j）から算出されるコサイン相関検波値（k）のMSK変調成分の振幅レベルは、“0”を基準にほぼプラスレベルとマイナスレベルで等しくなる。そこで、“0”を基準として、コサイン相関検波値（k）からMSK変調成分を正しく検出することができる。
【００３０】
しかし、CLV方式の光ディスクの所定トラックの基準位相とこの所定トラックに隣接する隣接トラックの基準位相とは同位相ではない。このため、CLV方式の光ディスクの所定トラックから検出されたウォブル信号は、隣接トラックによる位相干渉の影響を受け易い。そのため、ウォブル信号の振幅が大きく変動することがある。さらに信号に対するノイズの比率が大きいディスクでは、ウォブル信号の振幅がさらに大きく変動することがある。このような隣接トラックの影響を受けたウォブル信号（l）から算出されるコサイン相関検波値（m）のMSK変調成分の振幅レベルは、“0”を基準にプラスレベルとマイナスレベルで等しくならない。つまり、“0”を基準として、コサイン相関検波値（m）からMSK変調成分を検出しようとすると、MSK変調成分を誤検出してしまうことがある。
【００３１】
ウォブル信号（l）の左側の第１のMSK変調成分は、コサイン相関検波値（m）において十分なマイナス値として表れているが、ウォブル信号（l）の右側の第２のMSK変調成分は、コサイン相関検波値（m）において若干のマイナス値として表れている。このため、第２のMSK変調成分が、極性反転した信号として誤検出されてしまうことがある。
【００３２】
特に、図４で説明した基準2倍サイン波から生成された2倍サイン相関検波値（i0）に含まれるSTW0変調信号、及び2倍サイン相関検波値（i1）に含まれるSTW1変調信号の振幅レベルは非常に小さく、これらSTW0変調信号及びSTW1変調信号は誤検出される可能性が高い。
【００３３】
図６は、閾値の生成及びこの閾値によるMSK変調成分の検出の一例を説明するための図である。例えば、図５に示すウォブル信号（l）の右側の第２のMSK変調成分を正しく検出する方法について説明する。ウォブル信号（l）の右側の第２の変調成分は、コサイン相関検波値（m）において若干のマイナス値として表れている。このため、第２のMSK変調成分を正しく検出できない場合がある。
【００３４】
確実にMSK変調成分の信号を検出するには、“0”を基準値としたプラス／マイナスの判定ではなく、コサイン相関検波値の変動に対応した閾値によるプラス／マイナスの判定が必要である。そこで、第１実施形態の信号検出装置のオフセット補償部２１は、ADIP周期に対応したADIPカウンタのカウント値を使用し、MSK信号の前の非MSK変調成分の１ウォブルとMSK信号の１ウォブルとの平均値から閾値を生成する。例えば、MSK信号の直前の非MSK変調成分の１ウォブル（５５番目のウォブル）とMSK信号の１ウォブル（０番目、１番目、又は２番目のウォブル）との平均値から閾値を生成する。固定位置の二つのウォブルの平均により閾値を生成するための回路は、比較的容易に構成することができ、しかも比較的小規模な構成ですむ。なお、MSK信号の前の非MSK変調成分が、モノトーンウォブルであっても、モノトーンウォブルでなくても目的の閾値を生成することができる。言い換えると、MSK信号の前の非MSK変調成分が、モノトーンウォブルであっても、STW0又はSTW1に対応したウォブルであっても、目的の閾値を生成することができる。それは、モノトーンのパターンに対応したコサイン相関検波値とSTW0又は1のパターンに対応したコサイン相関検波値が、それほど大きく違わないからである。
【００３５】
既に説明したように、ADIPワードは、連続した８３個のADIPユニットにより構成されている。つまり、ADIPワードは、図２Ａに示す各種のADIPユニット（Monotone、Reference、Sync_0、Sync_1、Sync_2、Sync_3、Data_0、Data_1などのADIPユニット）が８３個連続している。即ち、５５番目の１ウォブルの次に０番目の１ウォブルが続く。よって、０番目〜２番目の３ウォブルに対応したMSK信号の直前の非MSK変調成分の１ウォブルは、５５番目の１ウォブルとなる。或いは、５５番目の１ウォブルの替わりに３番目〜１１番目のいずれかの１ウォブル（無変調成分の１ウォブル）利用することもできる。
【００３６】
図２Ａに示すように、各ADIPユニットの先頭位置（０番目〜２番目のウォブル）は、必ずMSK信号を含む。MSK検出部２３は、ADIP周期に合わせたADIPカウンタによるカウント値に基づき、ADIPユニットの先頭位置のMSK信号を推測することができる。例えば、オフセット補償部２１は、ADIPカウンタのカウント値が５５の時の値を“＋値”、ADIPカウンタのカウント値が１の時の値を“−値”とし、“＋値”と“−値”の平均値（（＋値）＋（−値））／２）を閾値とする。このように、固定位置のウォブル（５５番目のウォブルと１番目のウォブル）から閾値を算出するため、第１実施形態の信号検出装置の回路設計を簡単化することができる。
【００３７】
図６に示すように、Data_0のパターンであれば、ADIPカウンタのカウント値が１４〜１６のときに得られる信号が、MSK信号となる。“0”を基準値としたプラス／マイナスにより、MSK信号を検出しようとすると、ADIPカウンタのカウント値が１４〜１６のときに得られる信号をMSK信号として検出できないことがある。それは、ADIPカウンタのカウント値が１４〜１６のときに得られるコサイン相関検波値が十分なマイナス値になっていないからである。そこで、第１実施形態の信号検出装置のMSK検出部２３は、上記した閾値を使用することにより、図６に示すようなコサイン相関検波値からでも、確実にMSK信号を検出することができる。
【００３８】
図７は、閾値及び２倍サイン相関検波値によるSTW0及びSTW1の検出の一例を説明するための図である。閾値の生成手法は、上記説明した通りである。閾値を使用することにより、図７に示すように、STW検出部２２は、２倍サイン相関検波値から閾値より小さい値として、STW0信号を検出することができる。また、STW検出部２２は、２倍サイン相関検波値から閾値より大きい値として、STW1信号を検出することができる。なおSTW0信号及びSTW1信号の検出位置は、ADIPカウンタのカウント値が１８〜５５のうちの何れかのカウント値に対応した位置であれば良い。また、第１実施形態の信号検出装置のSTW検出部２２は、MSK信号とSTW0信号又はSTW1信号の検出結果を照合して、より正確にData_0又はData_1を検出することもできる。
【００３９】
上記したように、第１実施形態の信号検出装置は、入力ウォブル信号を2倍サイン波により積分し、2倍サイン相関検波値を生成し、さらに、入力ウォブル信号のMSK変調成分及び無変調成分から閾値(オフセット補正)を求め、この閾値を利用して2倍サイン相関検波値からSTW0信号又はSTW1信号を検出する。これにより、入力ウォブル信号から、正確に、STW0信号又はSTW1信号を検出することができ、その結果、正しい物理アドレスを検出することができる。
【００４０】
例えば、図７に示すように、閾値は、MSK変調成分に対応したウォブル信号（例えば図６に示す１番目のウォブル）と非MSK変調成分に対応したウォブル信号（例えば図６に示す５５番目）の平均値である。このような閾値（２値の平均値）算出のための回路構成は比較的小さく容易に実現できる。
【００４１】
また、第１実施形態の信号検出装置は、１つのADIPユニットのMSK変調成分（例えば１番目のウォブル）と非MSK変調成分（５５番目のウォブル或いは３番目〜１１番目の何れか一つのウォブルなど）とから閾値を算出し、算出した閾値によりこのADIPユニットのSTW0信号又はSTW1信号を検出することができる。つまり、第１実施形態の信号検出装置は、リアルタイムに信号波形の変動に追従することができ、より正確にSTW0信号又はSTW1信号を検出することができる。隣接トラックからのクロストークの影響はリアルタイムに変動するため、このようなリアルタイムに信号波形の変動に追従した信号検出は極めて有効である。
【００４２】
上記した第１実施形態によれば、以下の信号検出装置及び信号検出方法を提供することができる。
【００４３】
（１）第１実施形態の信号検出方法は、光ディスクのウォブルトラックから検出されたウォブル信号を入力し、前記ウォブル信号及び基準ｎ倍サイン波（ｎ＞０）からｎ倍サイン相関検波信号を生成し、前記ウォブル信号の第１の位置に含まれるMSK（Minimum Shift Keying）変調成分、及び前記MSK変調成分より前の第２の位置に含まれる無変調成分から生成された閾値に基づき、前記ｎ倍サイン相関検波信号から、第１のSTW（Saw Tooth Wobble）変調成分又は第２のSTW変調成分を検出する、というものである。
【００４４】
（２）上記（１）に記載の第１実施形態の信号検出方法は、さらに以下の要件を満たす。前記基準ｎ倍サイン波は、基準２倍サイン波であり、前記ｎ倍サイン相関検波信号は、２倍サイン相関検波信号である。
【００４５】
（３）上記（１）に記載の第１実施形態の信号検出方法は、さらに、カウンタにより前記ウォブル信号を構成する複数のウォブルをカウントし、前記ウォブル信号の前記第１の位置の第１のウォブルに反映された前記MSK変調成分及び前記第２の位置の第２のウォブルに反映された前記無変調成分を検出する、というものである。
【００４６】
（４）上記（３）に記載の第１実施形態の信号検出方法は、さらに、前記MSK変調成分及び前記無変調成分の平均値に対応した前記閾値を検出する、というものである。
【００４７】
（５）上記（４）に記載の第１実施形態の信号検出方法は、さらに、前記ｎ倍サイン相関検波信号から、前記閾値を超える前記第１のSTW変調成分又は前記閾値を下回る前記第２のSTW変調成分を検出する、というものである。
【００４８】
（６）上記（３）に記載の第１実施形態の信号検出方法は、さらに以下の要件を満たす。各種のアドレスユニットは、ａ個（ａ：自然数）のウォブルにより構成され、さらに、各種のアドレスユニットを構成する前記第１の位置の前記第１のウォブルは、前記MSK変調成分に対応したMSK変調ウォブルであり、前記第２の位置の前記第２のウォブルは、前記無変調成分に対応したモノトーンウォブルであり、アドレスワードは、ｂ個（ｂ：自然数）の前記アドレスユニットにより構成されている。その上で、上記（３）に記載の第１実施形態の信号検出方法は、前記アドレスワードに対応した前記ウォブル信号から、第１のデータに対応した第１のアドレスユニットに含まれた前記第１のSTW変調成分又は第２のデータに対応した第２のアドレスユニットに含まれた前記第２のSTW変調成分を検出する。
【００４９】
（７）第１実施形態の信号検出装置は、光ディスクのウォブルトラックから検出されたウォブル信号を入力する入力手段と、前記ウォブル信号及び基準ｎ倍サイン波（ｎ＞０）からｎ倍サイン相関検波信号を生成する生成手段と、前記ウォブル信号の第１の位置に含まれるMSK（Minimum Shift Keying）変調成分、及び前記MSK変調成分より前の第２の位置に含まれる無変調成分から生成された閾値に基づき、前記ｎ倍サイン相関検波信号から、第１のSTW（Saw Tooth Wobble）変調成分又は第２のSTW変調成分を検出する検出手段と、を備える。
【００５０】
次に、本発明の第２実施形態に係る信号検出装置及び信号検出方法について説明する。なお、第２実施形態の内容のうち、第１実施形態と共通する内容は省略することがある。
【００５１】
図８は、第２実施形態に係る信号検出装置の概略構成の一例を示すブロック図である。
【００５２】
図８に示すように、信号検出装置は、ウォブルPLL回路１、MSK検出／物理アドレス検出回路２、及びカウンタ回路３を備えている。
【００５３】
ウォブルPLL回路１は、A／Dコンバータ１１、位相検出部１２、位相制御部１３、D／Aコンバータ１４、VCO１５を備えている。A／Dコンバータ１１は、光ディスクから検出されたウォブル信号をデジタル信号へ変換し、デジタル信号へ変換されたウォブル信号を入力する。位相検出部１２は、現在の入力ウォブル信号と前の入力ウォブル信号との位相を比較する。位相制御部１３は、位相比較結果に基づき、位相が±90°以上異なる場合には前値をHoldする。また、位相制御部１３は、ループ補償も行なう。
【００５４】
また、上記した位相検出部１２は、入力ウォブル信号と基準コサイン波／基準サイン波との１ウォブル単位の積分演算を行ない、それぞれコサイン相関検波信号、サイン相関検波信号を生成する。サイン相関検波信号は、位相誤差信号としてPLL処理に使用され、入力ウォブル信号に対して位相追従した単一クロックが生成される。コサイン相関検波信号は、主にMSKパターン（MSK変調成分）の検出、及び物理アドレスの検出に使用される。
【００５５】
MSK検出／物理アドレス検出回路２は、オフセット補償部２１、MSK検出部２３、物理アドレス検出部２４を備えている。オフセット補償部２１は、隣接トラックからの位相干渉を受け変動したウォブル信号の振幅レベルを補正する。MSK検出部２３は、オフセット補償部２１で補正したウォブル信号からMSK変調成分を検出する。物理アドレス検出部２４は、MSK変調成分から物理アドレスを検出し、この物理アドレスのエラーを検出し、エラーを訂正する。
【００５６】
カウンタ回路３は、カウンタ管理部３１を備える。カウンタ管理部３１は、１ウォブル周期をカウントするウォブル周期カウンタ、ADIPユニット周期をカウントするADIPカウンタ、ADIPワード周期をカウントするADIPワードカウンタ、及び物理アドレスの信頼性確保用の物理アドレスカウンタを含み、これらカウンタによりカウントされるカウント値を管理する。なお、MSK検出／物理アドレス検出回路２により検出されたMSK変調成分及び物理アドレスにより、各カウント値が補正される。この補正により、カウント値とウォブルとの同期が取られる。
【００５７】
図９は、第２実施形態に係る信号検出装置を構成する位相検出部１２、オフセット補償部２１、MSK検出部２３の一例を示すブロック図である。位相検出部１２は、フィルター１２１、基準コサイン波生成部１２２、及び積分器１２３を備えている。オフセット補償部２１は、＋値ホールド部２１１、−値ホールド部２１２、閾値生成部２１３、閾値選択部２１４、オフセット補正部２１５を備えている。MSK検出部２３は、信号レベル判定部２３１、２値化処理部２３２、モノトーンカウンタ２３３、ゲート生成部２３４、MSK検出部２３５を備えている。
【００５８】
位相検出部１２の積分器１２３は、フィルター１２１によりフィルタリング処理された入力ウォブル信号と基準コサイン波生成部１２２により生成された基準コサイン波との積分により、コサイン相関検波値を生成する。
【００５９】
オフセット補償部２１（オフセット補正部２１５）は、閾値生成部２１３により生成され、且つ閾値選択部２１４により選択された閾値に基づき、コサイン相関検波値を補正する。この補正により、ウォブル信号が受けていた位相干渉の影響が低減される。例えば、所定トラックから検出されたウォブル信号は、この所定トラックに隣接する隣接トラックによる位相干渉の影響を受けることが知られている。位相干渉の影響により、ウォブル信号の振幅レベルが変動すると、ウォブル信号に含まれるMSKを誤検出してしまうことがある。そこで、上記した補正により、ウォブル信号の振幅レベルを補正することができる。補正されたウォブル信号から、SYNCパターン（Sync_0、Sync_1、Sync_2、Sync_3）の先頭に位置するMSK変調成分を正しく検出することができる。SYNCパターンの先頭に位置するMSK変調成分の検出について後で詳しく説明する。
【００６０】
図１０は、コサイン相関検波値の算出の一例を説明するための図である。
【００６１】
基準コサイン波（a）と入力ウォブル信号（b）との信号相関に基づき、コサイン相関検波値（c）が得られる。コサイン相関検波値（c）は、入力ウォブル信号（b）に含まれた無変調成分に対応したノーマルウォブル信号（モノトーンウォブル信号）と、入力ウォブル信号（b）に含まれたMSK変調成分に対応したMSK変調ウォブル信号とを含む。ノーマルウォブル信号は、図１０の入力ウォブル信号（b）に含まれたMSK変調成分の前後の信号である。MSK変調ウォブル信号は振幅レベルが大きく減少し、MSK変調ウォブル信号の真中の振幅レベルはマイナス値となり、その振幅レベルの絶対値は、ノーマルウォブル信号の振幅レベルの絶対値とほぼ等しい。
【００６２】
基準コサイン波（a）と入力ウォブル信号（d）又は（e）との信号相関に基づき、コサイン相関検波値（f）が得られる。コサイン相関検波値（f）のSTW振幅レベルは、モノトーンウォブルに比べ多少減少する。例えば、6ビット精度のA/DコンバータでA/D変換し、10ビット精度のコサイン相関検波値を算出した場合、30〜40程度の振幅レベル差が検出される。なお、基準コサイン波（a）と入力ウォブル信号（d）との信号相関により得られるコサイン相関検波値（f）と、基準コサイン波（a）と入力ウォブル信号（e）との信号相関により得られるコサイン相関検波値（f）は、ほぼ同じとなってしまう。そのため、コサイン相関検波値（f）から、STW0信号とSTW1信号とを区別するのは難しい。
【００６３】
第２実施形態の信号検出装置は、上記したようなコサイン相関検波値（f）の小さな振幅レベル変化を高精度に検出し、この振幅レベル変化の検出結果に基づきモノトーンウォブル信号を高精度に検出し、さらに、モノトーンウォブル信号の連続性を検出し、連続性の検出結果に基づきSYNCパターン（Sync_0、Sync_1、Sync_2、Sync_3）の先頭部分のMSK変調領域に対応したMSK変調成分を高精度に検出することができる。
【００６４】
図１１は、MSK信号検出用の保護ゲートを使用し、SYNCパターンの先頭位置のMSK変調成分を検出する処理の一例を説明するための図である。
【００６５】
図２Ａに示すように、Sync_0、Sync_1、Sync_2、Sync_3、Data_0、及びData_1は、MSK変調領域を含み、MSK検出部２３が、MSK変調領域に対応したMSK変調成分を検出する。MSK変調成分の誤検出は、物理アドレスの誤検出につながることがある。そのため、正確にMSK変調成分を検出する必要がある。
【００６６】
そこで、第２実施形態に係る信号検出装置は、図２Ａ及び図２Ｂに示すADIPワードの物理フォーマットの構成及びモノトーンウォブルの無変調領域の連続性に基づき、Sync_0、Sync_1、Sync_2、及びSync_3の先頭に位置するMSK変調領域に対応したMSK変調成分を正確に検出する。Sync_0、Sync_1、Sync_2、及びSync_3の先頭に位置する少なくとも一つのMSK変調領域に対応したMSK変調成分が正確に検出できれば、ADIPワードの物理フォーマットに従い、正確にData_0及びData_1の位置を検出することができ、物理アドレスの正確な検出が可能となる。
【００６７】
第２実施形態に係る信号検出装置は、ADIPワードの物理フォーマットの構成及びモノトーンウォブルの無変調領域の連続性に基づき、Sync_0、Sync_1、Sync_2、及びSync_3の先頭に位置するMSK変調領域に対応したMSK変調成分を検出するためのゲート信号を生成する。さらに、信号検出装置は、このゲート信号の生成期間においてMSK変調成分を検出し、このゲート信号の生成期間に検出されたMSK変調成分を、Sync_0、Sync_1、Sync_2、及びSync_3の先頭に位置するMSK変調成分と判定する。なお、信号検出装置は、Sync_0、Sync_1、Sync_2、及びSync_3の先頭に位置する４つのMSK変調領域に対応し、４つのSYNCを区別する必要はない。
【００６８】
ADIPワードの物理フォーマットの構成上、Sync_0、Sync_1、Sync_2、及びSync_3（第２のパターン）の前にはモノトーンウォブル（第１のパターン）が位置し、モノトーンウォブルは、MSK変調領域に対応したMSK変調成分、及び無変調領域に対応した無変調成分を含む。モノトーンウォブルを構成する１番目（ウォブルナンバー０）のウォブルから３番目（ウォブルナンバー２）のウォブルまでの３ウォブルがMSK変調領域に対応し、４番目（ウォブルナンバー３）のウォブルから５６番目（ウォブルナンバー５５）のウォブルまでの５３ウォブルが無変調領域に対応する。
【００６９】
一方、Sync_0中の最も長い無変調領域は、３０番目（ウォブルナンバー２９）のウォブルから５６番目（ウォブルナンバー５５）のウォブルまでの２７ウォブルである。Sync_1中の最も長い無変調領域は、３２番目（ウォブルナンバー３１）のウォブルから５６番目（ウォブルナンバー５５）のウォブルまでの２５ウォブルである。Sync_2中の最も長い無変調領域は、３４番目（ウォブルナンバー３３）のウォブルから５６番目（ウォブルナンバー５５）のウォブルまでの２３ウォブルである。Sync_3中の最も長い無変調領域は、３６番目（ウォブルナンバー３５）のウォブルから５５番目（ウォブルナンバー５５）のウォブルまでの２１ウォブルである。
【００７０】
つまり、２７ウォブルの連続無変調領域に対応した連続無変調成分を検出した時点では、検出した連続無変調成分が、Sync_0中の連続無変調成分なのか、モノトーンウォブル中の連続無変調成分なのか区別することは難しい。しかし、２８ウォブル以上の連続無変調領域に対応した連続無変調成分を検出した時点で、検出した連続無変調成分が、モノトーンウォブル中の連続無変調成分であると判断することができる。
【００７１】
第２実施形態に係る信号検出装置は、オフセット補償部２１で補正した補正ウォブル信号（補正コサイン相関検波信号）に基づき、MSK変調領域に対応したMSK変調成分を検出する。つまり、図１１に示すように、第２実施形態に係る信号検出装置は、隣接トラックから位相干渉の影響を受けたウォブル信号を補正した補正ウォブル信号（補正コサイン相関検波信号）に基づき、MSK変調領域に対応した無変調成分のウォブル数をカウントし、カウント結果に基づき所定期間にわたりゲート信号を生成し、ゲート信号生成期間においてMSK変調成分を検出し、検出したMSK変調成分をSYNC中の先頭に位置するMSK変調領域に対応したMSK変調成分と判定する。なお、オフセット補償部２１によるウォブル信号の補正（補正コサイン相関検波信号の生成）については、第１実施形態で説明した通りである。
【００７２】
さらに詳しく説明すると、モノトーンカウンタ２３３は、信号レベル判定部２３１による信号レベル（MSK変調成分又は無変調成分の検出結果）に基づき、MSK変調領域の後続の無変調領域（無変調成分）に対応したウォブル数をカウントする。モノトーンカウンタ２３３は、無変調領域が途切れると（信号レベルが閾値を下回ると）カウント値をクリアし（カウント値を０に設定し）、再び検出された無変調領域に対応したウォブル数をカウントする。これによりモノトーンカウンタ２３３のカウント値が非常に大きい値になることはなく、モノトーンカウンタ２３３の回路規模を比較的小さくすることができ、隣接トラックの位相干渉の影響を小さくすることが可能となる。
【００７３】
ゲート生成部２３４は、第１のウォブル数（例えば５１ウォブル（カウント値５０））をカウントしてから、カウント値がクリアされ、再び第２のウォブル数（例えば３ウォブル（カウント値２））をカウントするまでのカウント期間に対応してゲート信号を生成する。なお、第１のウォブル数は、２８ウォブル（カウント値２７）から５３ウォブル（カウント値５２）までの任意の値を設定することができる。また、第２のウォブル数も、第２のMSK変調領域の前（Data_１の前の１２ウォブル目）までの任意の値を設定することができる。
【００７４】
MSK検出部２３５は、補正コサイン相関検波信号のレベル変化に基づき、MSK変調成分を検出し、MSK検出信号を生成する。さらに、MSK検出部２３５は、ゲート信号の生成期間中のMSK検出信号の生成に対応して、SYNCの先頭位置のMSK変調領域に対応したMSK変調成分を検出したことを示すSYNC先頭MSK検出信号を生成する。つまり、信号検出装置は、ゲート信号の生成期間に検出されたMSK変調成分を、Sync_0、Sync_1、Sync_2、又はSync_3の先頭位置のMSK変調領域に対応したMSK変調成分と判定することができる。つまり、信号検出装置は、上記した第１のウォブル数をカウントしてから第２のウォブル数をカウントするまでのカウント期間に対応して生成されたゲート信号に基づき、SYNCの先頭位置のMSK変調領域に対応したMSK変調成分を確実に検出することができる。
【００７５】
例えば、MSK変調領域（３ウォブル）と同じ区間にわたり、ゲート信号を生成した場合、ウォブルスリップなどでMSK変調成分の検出を逃してしまうことがある。また、ゲート信号の生成区間を長くしすぎると、SYNCの先頭位置のMSK変調領域以外のMSK変調領域に対応したMSK変調成分を検出してしまう。そこで、第２実施形態の信号検出装置のゲート生成部２３４は、上記したように、第１のウォブル数（２８ウォブル〜５３ウォブル）をカウントしてから、カウント値がクリアされ、再び第２のウォブル数（１ウォブルから９ウォブル）をカウントするまでのカウント期間に対応してゲート信号を生成する。これにより、ゲート信号生成区間は、MSK変調領域（３ウォブル）より長い適切な長さとなる。
【００７６】
図１２は、STW変調領域（STW0変調領域又はSTW1変調領域）のウォブル信号をカウントせず、SYNCパターンの先頭MSK変調を検出処理しない一例を説明するための図である。
【００７７】
STW変調領域に対応したコサイン相関検波値と、無変調領域に対応したコサイン相関検波値とはレベル差があり、信号レベル判定部２３１は、レベル差に基づき、STW変調領域に対応したコサイン相関検波値と無変調領域に対応したコサイン相関検波値とを区別することができる。例えば、6ビット精度のA/DコンバータでA/D変換し、10ビット精度のコサイン相関検波値を算出した場合、30〜40程度の振幅レベル差を検出することができる。また、STW変調領域に対応したコサイン相関検波値の最大値を閾値としてこの閾値以上を無変調領域として判定することができる。或いは、無変調領域に対応したコサイン相関検波値の最小値を閾値としてこの閾値以下をSTW変調領域として判定することができる。
【００７８】
このようにして、信号レベル判定部２３１は、MSK変調成分を正確に判定できるだけでなく、無変調成分及びSTW変調成分を正確に判定することができ、モノトーンカウンタ２３３は、無変調領域に対応したウォブル数をカウントし、STW変調領域（STW変調成分）に対応したウォブル数はカウントしない。例えば、図１２に示すように、STW変調領域に対応したウォブル数はカウントアップせずに、カウント値をホールドし、MSK変調領域ではカウント値をクリアする。これにより、Reference、Data_0、Data_1はSTW変調領域を含むが、STW変調領域に対応したウォブル数はカウントアップされない。
【００７９】
上記したように、MSK検出部２３５は、補正コサイン相関検波信号のレベル変化に基づき、MSK変調成分を検出し、MSK検出信号を生成する。さらに、MSK検出部２３５は、ゲート信号の生成期間中のMSK検出信号の生成に対応して、SYNCの先頭位置のMSK変調領域に対応したMSK変調成分を検出したことを示すSYNC先頭MSK検出信号を生成する。ところが、上記したように、STW変調領域に対応したウォブル数はカウントアップされないため、STW変調領域の後のMSK変調領域に対応して、ゲート信号は生成されない。よって、MSK検出部２３５は、補正コサイン相関検波信号のレベル変化に基づき、MSK変調成分を検出し、MSK検出信号を生成しても、ゲート信号が生成していないことから、SYNC先頭MSK検出信号を生成しない。このようにして、信号検出装置は、SYNCの先頭のMSK変調領域以外のMSK変調領域に対応したMSK変調成分が、SYNCの先頭のMSK変調領域に対応したMSK変調成分として、誤検出されるのを防止することができる。
【００８０】
よって、SYNCの先頭のMSK変調領域に対応したMSK変調成分（ウォブルナンバー0〜2）を正確に検出することができ、これにより、各同期カウンタ（例えばカウンタ３１）のカウント値とウォブル信号とを正確に同期させることができ、物理アドレスなどを早期に正確に検出することが可能となる。なお、図１２を参照し、STW変調領域の検出に対応してカウント値をホールドするケースについて説明したが、STW変調領域の検出に対応してカウント値をクリアしても良い。
【００８１】
上記した第２実施形態に係る信号検出装置によれば、以下の作用効果を得ることができる。
【００８２】
（１）信号検出装置は、入力ウォブル信号から無変調領域に対応した無変調成分を検出し、無変調成分に対応したウォブル数をカウントし、カウント結果に応じて所定期間（第１のウォブル数をカウントしてから第２のウォブル数をカウントする期間）にわたりゲート信号を生成し、ゲート信号の生成に応じてMSK変調領域を検出する。これにより、モノトーンウォブル中の無変調領域の後続のMSK変調領域に対応したMSK変調成分を正確に検出することができる。つまり、SYNCの先頭位置のMSK変調領域に対応したMSK変調成分を正確に検出することができる。これにより、SYNCの誤検出を低減することができる。つまり、信号検出装置は、SYNCの検出信頼性向上を図ることができる。
【００８３】
（２）上記により、信号検出装置は、早期に正確にSYNCを検出することができ、これにより物理フォーマットの各信号の同期を早期に取ることができ、これにより早期に正確に物理アドレスを検出することができる。
【００８４】
（３）上記したように、信号検出装置は、SYNCの先頭位置のMSK変調領域に対応したMSK変調成分と、SYNCの先頭位置以外のMSK変調領域に対応したMSK変調成分とを区別して検出することができる。例えば、SYNCの先頭には３ウォブルで構成されたMSK変調領域が配置され、SYNCの先頭以外にも３ウォブルで構成されたMSK変調領域が配置されているが、信号検出装置は、SYNCの先頭位置のMSK変調領域に対応したMSK変調成分と、SYNCの先頭位置以外のMSK変調領域に対応したMSK変調成分とを区別して検出することができる。よって、第２実施形態の信号検出装置による信号検出処理を適用しない場合、SYNCの先頭位置のMSK変調領域に対応したMSK変調成分と、SYNCの戦闘位置以外のMSK変調領域に対応したMSK変調成分とを区別して検出しようとすると、検出処理が複雑になり、SYNCの先頭位置のMSK変調領域に対応したMSK変調成分を誤検出する可能性が生じる。第２実施形態の信号検出装置は、SYNC別（Sync_0、Sync_1、Sync_2、Sync_3）の検出回路を必要とせずに、SYNCの先頭位置のMSK変調領域に対応したMSK変調成分を比較的小規模な回路構成で実現することができる。つまり、第２の実施形態の信号検出装置を低コストで構成することができる。
【００８５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００８６】
１…ウォブルPLL回路、２…MSK検出／STW検出／物理アドレス検出回路、３…カウンタ回路、１１…A／Dコンバータ、１２…位相検出部、１３…位相制御部、１４…D／Aコンバータ、１５…VCO、２１…オフセット補償部、２２…STW検出部、２３…MSK検出部、２４…物理アドレス検出部、３１…カウンタ管理部、１２１…フィルター、１２２…基準コサイン波生成部、１２３…積分器、１２４…基準２倍サイン波生成部、１２５…積分器、２１１…＋値ホールド部、２１２…−値ホールド部、２１３…閾値生成部、２１４…閾値選択部、２１５…オフセット補正部、２２１…STW0/STW1検出部、２２２…値ホールド部、２３１…信号レベル判定部、２３２…２値化処理部、２３３…モノトーンカウンタ、２３４…ゲート生成部、２３５…MSK検出部
【図１】
2011175707.tif 000003
【図２Ａ】
2011175707.tif 000004
【図２Ｂ】
2011175707.tif 000005
【図３】
2011175707.tif 000006
【図４】
2011175707.tif 000007
【図５】
2011175707.tif 000008
【図６】
2011175707.tif 000009
【図７】
2011175707.tif 000010
【図８】
2011175707.tif 000011
【図９】
2011175707.tif 000012
【図１０】
2011175707.tif 000013
【図１１】
2011175707.tif 000014
【図１２】
2011175707.tif 000015